(57)【要約】  フロントエンド回路（１）は、アンテナ接続端子（１００）、選択端子（４０ｃ）、および選択端子（４０ｄ）と、共通端子（２０ａ）、選択端子（２０ｃおよび２０ｄ）を有するスイッチ回路（２０）と、ＢａｎｄＢの高周波信号を通過させる受信フィルタ（３２）と、選択端子（２０ｃ）と選択端子（４０ｃ）とを結ぶ経路であって受信フィルタ（３２）が配置された信号経路（６２）と、選択端子（２０ｄ）と選択端子（４０ｄ）とを結ぶ経路であって、フィルタが配置されないバイパス経路である信号経路（６３）と、アンテナ接続端子（１００）と共通端子（２０ａ）との間に接続され、ＢａｎｄＢを含む第１周波数帯域群を通過させるフィルタ（１０）と、を備える。
2020116460.tif 000002
【特許請求の範囲】
【請求項１】
高周波信号を伝送するフロントエンド回路であって、
前記フロントエンド回路に高周波信号を入力または前記フロントエンド回路から高周波信号を出力する第１入出力端子、第２入出力端子、および第３入出力端子と、
前記第１入出力端子に接続された第１共通端子、ならびに、第１選択端子および第２選択端子を有し、前記第１共通端子と前記第１選択端子との接続、および、前記第１共通端子と前記第２選択端子との接続を排他的に切り替える第１スイッチ回路と、
第１通信バンドの高周波信号を通過させる第１フィルタと、
前記第１選択端子と前記第２入出力端子とを結ぶ経路であって、前記第１フィルタが配置され、前記第１通信バンドの高周波信号を伝搬する第１信号経路と、
前記第２選択端子と前記第３入出力端子とを結ぶ経路であって、フィルタが配置されないバイパス経路であり、前記第１通信バンドの高周波信号を伝搬する第２信号経路と、を備え、
前記第１信号経路を経由した前記第１入出力端子から前記第２入出力端子への前記第１通信バンドの高周波信号の伝送と、前記第２信号経路を経由した前記第１入出力端子から前記第３入出力端子への前記第１通信バンドの高周波信号の伝送とが、排他的に切り替わる、または、前記第１信号経路を経由した前記第２入出力端子から前記第１入出力端子への前記第１通信バンドの高周波信号の伝送と、前記第２信号経路を経由した前記第３入出力端子から前記第１入出力端子への前記第１通信バンドの高周波信号の伝送とが、排他的に切り替わる、
フロントエンド回路。
【請求項２】
高周波信号を伝送するフロントエンド回路であって、
前記フロントエンド回路に高周波信号を入力または前記フロントエンド回路から高周波信号を出力する第１入出力端子、第２入出力端子、および第３入出力端子と、
第１共通端子、第１選択端子および第２選択端子を有し、前記第１共通端子と前記第１選択端子との接続、および、前記第１共通端子と前記第２選択端子との接続を排他的に切り替える第１スイッチ回路と、
第１通信バンドの高周波信号を通過させる第１フィルタと、
前記第１選択端子と前記第２入出力端子とを結ぶ経路であって、前記第１フィルタが配置され、前記第１通信バンドの高周波信号を伝搬する第１信号経路と、
前記第２選択端子と前記第３入出力端子とを結ぶ経路であって、フィルタが配置されないバイパス経路であり、前記第１通信バンドの高周波信号を伝搬する第２信号経路と、
前記第１入出力端子と前記第１共通端子との間に接続され、前記第１通信バンドを含む第１周波数帯域群を通過させる第２フィルタと、を備える、
フロントエンド回路。
【請求項３】
さらに、
第２共通端子、第３選択端子および第４選択端子を有し、前記第２共通端子と前記第３選択端子との接続、および、前記第２共通端子と前記第４選択端子との接続を排他的に切り替える第２スイッチ回路を備え、
前記第２入出力端子は前記第３選択端子であり、
前記第３入出力端子は前記第４選択端子であり、
前記第２共通端子は、前記フロントエンド回路から高周波信号を出力または前記フロントエンド回路に高周波信号を入力し、
前記第２共通端子と前記第３選択端子とが接続されるとともに、前記第１共通端子と前記第１選択端子とが接続されており、
前記第２共通端子と前記第４選択端子とが接続されるとともに、前記第１共通端子と前記第２選択端子とが接続されている、
請求項１または２に記載のフロントエンド回路。
【請求項４】
前記第１スイッチ回路と前記第２スイッチ回路とは、同一チップで形成されている、
請求項３に記載のフロントエンド回路。
【請求項５】
前記第１フィルタは、時分割復信方式に適用されるフィルタであり、
前記第１信号経路および前記第２信号経路には、時分割復信方式の高周波信号が伝送される、
請求項１〜４のいずれか１項に記載のフロントエンド回路。
【請求項６】
前記第１フィルタは、ＳＤＬ（Ｓｕｐｐｌｅｍｅｎｔａｌ  Ｄｏｗｎｌｉｎｋ）方式に適用されるフィルタであり、
前記第１信号経路および前記第２信号経路には、ＳＤＬ方式の高周波信号が伝送される、
請求項１〜４のいずれか１項に記載のフロントエンド回路。
【請求項７】
前記第１スイッチ回路は、さらに、第５選択端子を有し、
前記フロントエンド回路は、さらに、前記フロントエンド回路に高周波信号を入力または前記フロントエンド回路から高周波信号を出力する第４入出力端子と、
第２通信バンドの高周波信号を通過させ、周波数分割復信方式に適用される第３フィルタと、
前記第５選択端子と前記第４入出力端子とを結ぶ第３信号経路と、を備え、
前記第３信号経路には、前記第３フィルタが配置されている、
請求項５または６に記載のフロントエンド回路。
【請求項８】
前記フロントエンド回路は、さらに、
前記第１スイッチ回路の切り替え動作を制御する制御部を備え、
前記制御部は、
時分割復信方式により前記第１通信バンドの高周波信号を単独で伝送させる場合には、前記第１共通端子と前記第２選択端子とを接続させ、
時分割復信方式による前記第１通信バンドの高周波信号の伝送と、周波数分割復信方式による前記第１通信バンドと異なる他の通信バンドの高周波信号の伝送とを同時に行う場合には、前記第１共通端子と前記第１選択端子とを接続させる、
請求項１〜７のいずれか１項に記載のフロントエンド回路。
【請求項９】
さらに、
前記フロントエンド回路に高周波信号を入力または前記フロントエンド回路から高周波信号を出力する第５入出力端子、第６入出力端子および第７入出力端子と、
第３共通端子、第６選択端子、第７選択端子および第８選択端子を有し、前記第３共通端子と前記第６選択端子との接続、前記第３共通端子と前記第７選択端子との接続、および前記第３共通端子と前記第８選択端子との接続が排他的に切り替わる第３スイッチ回路と、
前記第１入出力端子と前記第３共通端子との間に接続された第４フィルタと、
第３通信バンドの高周波信号を通過させる第５フィルタと、
第４通信バンドの高周波信号を通過させ、周波数分割復信方式に適用される第６フィルタと、
前記第６選択端子と前記第５入出力端子とを結ぶ第４信号経路と、
前記第７選択端子と前記第６入出力端子とを結ぶ第５信号経路と、
前記第８選択端子と前記第７入出力端子とを結ぶ第６信号経路と、を備え、
前記第１フィルタは、時分割復信方式に適用されるフィルタであり、
前記第１信号経路および前記第２信号経路には、時分割復信方式の高周波信号が伝送され、
前記第４信号経路には、前記第５フィルタが配置され、
前記第５信号経路は、フィルタが配置されないバイパス経路であり、
前記第６信号経路には、前記第６フィルタが配置されている、
請求項２に記載のフロントエンド回路。
【請求項１０】
前記フロントエンド回路は、さらに、
前記第１スイッチ回路および前記第３スイッチ回路の切り替え動作を制御する制御部を備え、
前記制御部は、
時分割復信方式による前記第１通信バンドの高周波信号と時分割復信方式による前記第３通信バンドの高周波信号とを同期して伝送させる場合には、前記第１共通端子と前記第２選択端子とを接続させ、かつ、前記第３共通端子と前記第７選択端子とを接続させ、
時分割復信方式による前記第１通信バンドの高周波信号と時分割復信方式による前記第３通信バンドの高周波信号とを非同期で伝送させる場合には、前記第１共通端子と前記第１選択端子とを接続させ、かつ、前記第３共通端子と前記第６選択端子とを接続させ、
時分割復信方式による前記第１通信バンドの高周波信号の伝送と、周波数分割復信方式による前記第４通信バンドの高周波信号の伝送とを同時に行う場合には、前記第１共通端子と前記第１選択端子とを接続させ、かつ、前記第３共通端子と前記第８選択端子とを接続させる、
請求項９に記載のフロントエンド回路。
【請求項１１】
前記第１通信バンドは、ＬＴＥ（Ｌｏｎｇ  Ｔｅｒｍ  Ｅｖｏｌｕｔｉｏｎ）のバンド３２、バンド３４、バンド３９、バンド４０およびバンド４１のいずれかである、
請求項１〜１０のいずれか１項に記載のフロントエンド回路。
【請求項１２】
前記第１通信バンドは、４つの異なる周波数帯域群であるミドルローバンド（ＭＬＢ：１４７５．９−２０２５ＭＨｚ）、ミドルバンド（ＭＢ：２１１０−２２００ＭＨｚ）、ミドルハイバンド（ＭＨＢ：２３００−２４００ＭＨｚ）、およびハイバンド（ＨＢ：２４９６−２６９０ＭＨｚ）のうちのいずれかに属し、
前記第３通信バンドと前記第４通信バンドとは、前記４つの異なる周波数帯域群のうちの同じ周波数帯域群に属する、
請求項９または１０に記載のフロントエンド回路。
【請求項１３】
前記第１通信バンドは、ＧＰＳ（登録商標）バンドおよびＷｉ−Ｆｉ（登録商標）バンドのいずれかである、
請求項１〜１０のいずれか１項に記載のフロントエンド回路。
【請求項１４】
前記第１フィルタおよび前記第２フィルタは、弾性表面波フィルタ、弾性境界波フィルタ、または、ＢＡＷ（Ｂｕｌｋ  Ａｃｏｕｓｔｉｃ  Ｗａｖｅ）を用いた弾性波フィルタである、
請求項２に記載のフロントエンド回路。
【請求項１５】
さらに、
前記第２入出力端子および前記第３入出力端子に直接的または間接的に接続された増幅回路と、を備える、
請求項１〜１４のいずれか１項に記載のフロントエンド回路。
【請求項１６】
アンテナで受信される高周波信号を処理するＲＦ信号処理回路と、
前記アンテナと前記ＲＦ信号処理回路との間で前記高周波信号を伝達する請求項１〜１５のいずれか１項に記載のフロントエンド回路と、を備える、
通信装置。
【発明の詳細な説明】
【技術分野】
【０００１】
本発明は、フロントエンド回路および通信装置に関する。
【背景技術】
【０００２】
近年の携帯電話には、１つの端末で複数の周波数帯域および無線方式に対応することが要求される（マルチバンド化およびマルチモード化）。マルチバンド化およびマルチモード化に対応するフロントエンド回路では、異なる通信バンドの複数の送信信号または複数の受信信号を同時に使用する、いわゆるキャリアアグリゲーション（ＣＡ）方式を適用する場合が多くなっていることに伴い、複数の送受信信号を品質劣化させずに高速処理することが求められている。【０００３】
特許文献１には、ＣＡ方式において、複数の通信バンド間で良好なアイソレーション特性を確保できるフロントエンドモジュールの回路構成が開示されている。より具体的には、フロントエンドモジュールは、アンテナ素子と複数の信号経路との接続を切り替えるアンテナスイッチモジュールと、デュプレクサが配置されたＬＴＥ（Ｌｏｎｇ  Ｔｅｒｍ  Ｅｖｏｌｕｔｉｏｎ）のＢａｎｄ８の信号経路に接続された第１回路と、デュプレクサが配置されたＬＴＥのＢａｎｄ３の信号経路に接続され第１回路と電磁界結合する第２回路と、を備える。上記構成によれば、第１回路と第２回路との電磁界結合度を調整することにより、第１信号経路と第２信号経路との間を伝搬する信号の振幅および位相を容易に調整でき、ＣＡ方式において、複数の通信バンド間での良好なアイソレーション特性を確保することが可能となる。
【先行技術文献】
【特許文献】
【０００４】
【特許文献１】国際公開第２０１７／００６８６６号
【発明の概要】
【発明が解決しようとする課題】
【０００５】
特許文献１に開示されたフロントエンドモジュールでは、周波数分割復信方式（ＦＤＤ）および時分割復信方式（ＴＤＤ）などの通信方式に応じて信号経路を切り替えることも可能である。しかしながら、全ての信号経路に各通信バンドを通過帯域とするフィルタが配置されているため、上記フロントエンドモジュール内を伝搬する各通信バンドの高周波信号は、アンテナスイッチモジュールおよびフィルタを必ず通過する。このため、通信方式によらずフィルタの挿入損失に起因した高周波信号の伝搬損失が大きくなるという問題が発生する。【０００６】
そこで、本発明は、上記課題を解決するためになされたものであって、複数の通信方式を切り替えて高周波信号を伝搬することが可能なシステムにおいて、高周波信号の伝搬損失を低減できるフロントエンド回路および通信装置を提供することを目的とする。
【課題を解決するための手段】
【０００７】
上記目的を達成するために、本発明の一態様に係るフロントエンド回路は、高周波信号を伝送するフロントエンド回路であって、前記フロントエンド回路に高周波信号を入力または前記フロントエンド回路から高周波信号を出力する第１入出力端子、第２入出力端子、および第３入出力端子と、前記第１入出力端子に接続された第１共通端子、ならびに、第１選択端子および第２選択端子を有し、前記第１共通端子と前記第１選択端子との接続、および、前記第１共通端子と前記第２選択端子との接続を排他的に切り替える第１スイッチ回路と、第１通信バンドの高周波信号を通過させる第１フィルタと、前記第１選択端子と前記第２入出力端子とを結ぶ経路であって、前記第１フィルタが配置され、前記第１通信バンドの高周波信号を伝搬する第１信号経路と、前記第２選択端子と前記第３入出力端子とを結ぶ経路であって、フィルタが配置されないバイパス経路であり、前記第１通信バンドの高周波信号を伝搬する第２信号経路と、を備え、前記第１信号経路を経由した前記第１入出力端子から前記第２入出力端子への前記第１通信バンドの高周波信号の伝送と、前記第２信号経路を経由した前記第１入出力端子から前記第３入出力端子への前記第１通信バンドの高周波信号の伝送とが、排他的に切り替わる、または、前記第１信号経路を経由した前記第２入出力端子から前記第１入出力端子への前記第１通信バンドの高周波信号の伝送と、前記第２信号経路を経由した前記第３入出力端子から前記第１入出力端子への前記第１通信バンドの高周波信号の伝送とが、排他的に切り替わる。【０００８】
また、本発明の一態様に係るフロントエンド回路は、高周波信号を伝送するフロントエンド回路であって、前記フロントエンド回路に高周波信号を入力または前記フロントエンド回路から高周波信号を出力する第１入出力端子、第２入出力端子、および第３入出力端子と、第１共通端子、第１選択端子および第２選択端子を有し、前記第１共通端子と前記第１選択端子との接続、および、前記第１共通端子と前記第２選択端子との接続を排他的に切り替える第１スイッチ回路と、第１通信バンドの高周波信号を通過させる第１フィルタと、前記第１選択端子と前記第２入出力端子とを結ぶ経路であって、前記第１フィルタが配置され、前記第１通信バンドの高周波信号を伝搬する第１信号経路と、前記第２選択端子と前記第３入出力端子とを結ぶ経路であって、フィルタが配置されないバイパス経路であり、前記第１通信バンドの高周波信号を伝搬する第２信号経路と、前記第１入出力端子と前記第１共通端子との間に接続され、前記第１通信バンドを含む第１周波数帯域群を通過させる第２フィルタと、を備える。
【発明の効果】
【０００９】
本発明によれば、複数の通信方式を切り替えて高周波信号を伝搬することが可能なシステムにおいて、高周波信号の伝搬損失を低減できるフロントエンド回路および通信装置を提供することが可能となる。
【図面の簡単な説明】
【００１０】
【図１Ａ】図１Ａは、実施の形態１に係るフロントエンド回路および通信装置の回路構成図である。
【図１Ｂ】図１Ｂは、実施の形態１の変形例１に係るフロントエンド回路の回路構成図である。
【図１Ｃ】図１Ｃは、実施の形態１の変形例２に係るフロントエンド回路の回路構成図である。
【図２Ａ】図２Ａは、実施の形態１に係るフロントエンド回路のＣＡ（ＴＤＤ／ＦＤＤ）モードにおける回路状態を示す図である。
【図２Ｂ】図２Ｂは、実施の形態１に係るフロントエンド回路のＴＤＤ単独モードにおける回路状態を示す図である。
【図３Ａ】図３Ａは、比較例１に係るフロントエンド回路のＣＡ（ＴＤＤ／ＦＤＤ）モードにおける回路状態を示す図である。
【図３Ｂ】図３Ｂは、比較例１に係るフロントエンド回路のＴＤＤ単独モードにおける回路状態を示す図である。
【図４】図４は、実施の形態２に係るフロントエンド回路の回路構成図である。
【図５Ａ】図５Ａは、実施の形態２に係るフロントエンド回路のＣＡ（ＴＤＤ／ＦＤＤ）モードにおける回路状態を示す図である。
【図５Ｂ】図５Ｂは、実施の形態２に係るフロントエンド回路のＴＤＤ単独モードにおける回路状態を示す図である。
【図６】図６は、比較例２に係るフロントエンド回路のＴＤＤ単独モードにおける回路状態を示す図である。
【発明を実施するための形態】
【００１１】
以下、本発明の実施の形態について、実施の形態およびその図面を用いて詳細に説明する。なお、以下で説明する実施の形態は、いずれも包括的または具体的な例を示すものである。以下の実施の形態で示される数値、形状、材料、構成要素、構成要素の配置および接続形態などは、一例であり、本発明を限定する主旨ではない。以下の実施の形態における構成要素のうち、独立請求項に記載されていない構成要素については、任意の構成要素として説明される。また、図面に示される構成要素の大きさまたは大きさの比は、必ずしも厳密ではない。
【００１２】
（実施の形態１）
［１．１  フロントエンド回路および通信装置の回路構成］
図１Ａは、実施の形態１に係るフロントエンド回路１および通信装置６の回路構成図である。なお、同図には、通信装置６と接続されるアンテナ２についても併せて図示されている。通信装置６は、フロントエンド回路１と、送信増幅器３Ｔと、受信増幅器３Ｒと、ＲＦ信号処理回路（ＲＦＩＣ）４と、ベースバンド信号処理回路（ＢＢＩＣ）５と、を備える。
【００１３】
ＲＦＩＣ４は、アンテナ２からフロントエンド回路１および受信増幅器３Ｒを介して入力された高周波受信信号を、ダウンコンバートなどにより信号処理し、当該信号処理して生成された受信信号をＢＢＩＣ５へ出力する。また、ＲＦＩＣ４は、ＢＢＩＣ５から入力された送信信号をアップコンバートなどにより信号処理し、当該信号処理して生成された高周波送信信号を、送信増幅器３Ｔおよびフロントエンド回路１に出力する。
【００１４】
ＢＢＩＣ５で処理された信号は、例えば、画像信号として画像表示のために、または、音声信号として通話のために使用される。ＲＦＩＣ４およびＢＢＩＣ５は、例えば、ＩＣとして構成されている。
【００１５】
送信増幅器３Ｔは、ＢａｎｄＡの高周波送信信号を優先的に増幅する増幅回路であり、例えば、パワーアンプ（電力増幅器）である。受信増幅器３Ｒは、スイッチ回路４０の共通端子４０ａに接続され、ＢａｎｄＡおよびＢａｎｄＢの高周波受信信号を優先的に増幅する増幅回路であり、例えば、ローノイズアンプ（低雑音増幅器）である。
【００１６】
フロントエンド回路１は、マルチモード／マルチバンドに対応すべく、複数の通信バンド（周波数帯域）により無線信号を送受信するための信号経路が複数設けられた、マルチキャリア用送受信装置である。フロントエンド回路１は、スイッチ回路２０および４０と、信号経路６１、６２および６３と、デュプレクサ３１と、受信フィルタ３２と、フィルタ１０と、アンテナ接続端子１００と、を備える。フロントエンド回路１は、例えば、マルチモード／マルチバンド対応の携帯電話のフロントエンドに配置される。
【００１７】
スイッチ回路２０は、共通端子２０ａ（第１共通端子）、選択端子２０ｂ（第５選択端子）、選択端子２０ｃ（第１選択端子）、および選択端子２０ｄ（第２選択端子）を有し、共通端子２０ａと選択端子２０ｃとの接続および共通端子２０ａと選択端子２０ｄとの接続を排他的に切り替える第１スイッチ回路である。
【００１８】
共通端子２０ａは、フィルタ１０を介してアンテナ接続端子１００（第１入出力端子）に接続されている。選択端子２０ｂは信号経路６１に接続され、選択端子２０ｃは信号経路６２に接続され、選択端子２０ｄは信号経路６３に接続されている。
【００１９】
スイッチ回路４０は、共通端子４０ａ（第２共通端子）、選択端子４０ｂ、選択端子４０ｃ（第３選択端子）、および選択端子４０ｄ（第４選択端子）を有し、共通端子４０ａと選択端子４０ｃとの接続および共通端子４０ａと選択端子４０ｄとの接続を排他的に切り替える第２スイッチ回路である。なお、選択端子４０ｂは、フロントエンド回路１からＢａｎｄＡの高周波信号を出力する第４入出力端子に相当し、選択端子４０ｃは、フロントエンド回路１からＢａｎｄＢの高周波信号を出力する第２入出力端子に相当し、選択端子４０ｄは、フロントエンド回路１からＢａｎｄＢの高周波信号を出力する第３入出力端子に相当する。
【００２０】
共通端子４０ａは、受信増幅器３Ｒに接続され、フロントエンド回路１から受信増幅器３Ｒへ高周波信号を出力する。
【００２１】
選択端子４０ｂは信号経路６１に接続され、選択端子４０ｃは信号経路６２に接続され、選択端子４０ｄは信号経路６３に接続されている。
【００２２】
信号経路６１は、ＢａｎｄＡ（第２通信バンド）の高周波受信信号を伝搬し、選択端子２０ｂと選択端子４０ｂとを結ぶ第３信号経路である。信号経路６２は、ＢａｎｄＢ（第１通信バンド）の高周波受信信号を伝搬し、選択端子２０ｃと選択端子４０ｃとを結ぶ第１信号経路である。信号経路６３は、ＢａｎｄＢ（第１通信バンド）の高周波受信信号を伝搬し、選択端子２０ｄと選択端子４０ｄとを結ぶ第２信号経路である。
【００２３】
デュプレクサ３１は、送信フィルタ３１Ｔおよび受信フィルタ３１Ｒで構成され、ＢａｎｄＡの高周波信号をＦＤＤ方式で送受信するフィルタデバイスである。送信フィルタ３１Ｔの出力端および受信フィルタ３１Ｒの入力端が信号経路６１を介して選択端子２０ｂに接続されている。また、送信フィルタ３１Ｔの入力端が送信増幅器３Ｔに接続され、受信フィルタ３１Ｒの出力端が信号経路６１を介して選択端子４０ｂに接続されている。受信フィルタ３１Ｒは、信号経路６１に配置された第３フィルタである。
【００２４】
受信フィルタ３２は、信号経路６２に配置され、ＢａｎｄＢ（第１通信バンド）の高周波信号を通過させる第１フィルタである。受信フィルタ３２は、ＢａｎｄＢ（第１通信バンド）の高周波信号をＴＤＤ方式で受信するフィルタである。
【００２５】
信号経路６３は、フィルタが配置されないバイパス経路である。
【００２６】
信号経路６２および６３には、ＴＤＤ方式が適用されるＢａｎｄＢの高周波信号が伝送される。
【００２７】
フィルタ１０は、アンテナ接続端子１００と共通端子２０ａとの間に接続され、ＢａｎｄＢおよびＢａｎｄＡを含む第１周波数帯域群を通過させる第２フィルタである。
【００２８】
なお、送信フィルタ３１Ｔ、受信フィルタ３１Ｒおよび３２、ならびにフィルタ１０は、弾性表面波フィルタ、または、ＢＡＷ（Ｂｕｌｋ  Ａｃｏｕｓｔｉｃ  Ｗａｖｅ）を用いた弾性波フィルタのいずれかであってもよい。さらには、送信フィルタ３１Ｔ、受信フィルタ３１Ｒおよび３２、ならびにフィルタ１０は、弾性波フィルタでなくてもよく、ＬＣフィルタまたは誘電体フィルタなどであってもよく、フィルタ構造は任意である。
【００２９】
上記構成を有するフロントエンド回路１において、信号経路６２を経由したアンテナ接続端子１００から選択端子４０ｃへのＢａｎｄＢの高周波受信信号の伝送と、信号経路６３を経由したアンテナ接続端子１００から選択端子４０ｄへのＢａｎｄＢの高周波受信信号の伝送とが、排他的に切り替わる。
【００３０】
なお、ＢａｎｄＢ（第１通信バンド）は、ＴＤＤ方式が適用されるＬＴＥのバンド３９（帯域：１８８０−１９２０ＭＨｚ）、バンド４１（帯域：２４９６−２６９０ＭＨｚ）、バンド４０（帯域：２３００−２４００ＭＨｚ）、およびバンド３４（帯域：２０１０−２０２５ＭＨｚ）のいずれかに適用することが可能である。
【００３１】
ＢａｎｄＢ（第１通信バンド）がＬＴＥのバンド３９（帯域：１８８０−１９２０ＭＨｚ）である場合には、フィルタ１０は、例えばミドルローバンド（ＭＬＢ：１４７５．９−２０２５ＭＨｚ）を通過帯域とするバンドパスフィルタ（または低域通過フィルタ）である。また、ＢａｎｄＢ（第１通信バンド）がＬＴＥのバンド４１（帯域：２４９６−２６９０ＭＨｚ）である場合には、フィルタ１０は、例えばハイバンド（ＨＢ：２４９６−２６９０ＭＨｚ）を通過帯域とするバンドパスフィルタ（または高域通過フィルタ）である。また、ＢａｎｄＢ（第１通信バンド）がＬＴＥのバンド４０（帯域：２３００−２４００ＭＨｚ）である場合には、フィルタ１０は、例えばミドルハイバンド（ＭＨＢ：２３００−２４００ＭＨｚ）を通過帯域とするバンドパスフィルタである。
【００３２】
なお、ＢａｎｄＢ（第１通信バンド）は、ＳＤＬ（Ｓｕｐｐｌｅｍｅｎｔａｌ  Ｄｏｗｎｌｉｎｋ）方式が適用される通信バンドであってもよく、例えば、ＬＴＥのバンド３２（帯域：１４５２−１４９６ＭＨｚ）であってもよい。この場合には、信号経路６２および６３には、ＳＤＬ方式の高周波信号が伝送される。
【００３３】
また、ＢａｎｄＢ（第１通信バンド）は、ＧＰＳ（登録商標）バンドおよびＷｉ−Ｆｉ（登録商標）バンドのいずれかであってもよい。この場合には、受信フィルタ３２としてＧＰＳ（登録商標）バンドまたはＷｉ−Ｆｉ（登録商標）バンドを通過帯域とするフィルタが適用され、送信フィルタ３１Ｔおよび受信フィルタ３１ＲとしてＬＴＥのバンドを通過帯域とするフィルタが適用される。これにより、フロントエンド回路１は、複数の通信方式を兼用するシステムに適用される。
【００３４】
また、ＢａｎｄＢ（第１通信バンド）は、セルラー帯域（１．５−２．７ＧＨｚ）に属する通信バンドであってもよい。セルラー帯域に属する通信バンドとしては、ＬＴＥのバンド３９、バンド４１、バンド４０、およびバンド３４などが適用される。また、ＢａｎｄＢ（第１通信バンド）と同時に受信可能なＢａｎｄＡ（第２通信バンド）は、Ｗｉ−Ｆｉ（２．４ＧＨｚ帯）であってもよい。
【００３５】
図１Ｂは、実施の形態１の変形例１に係るフロントエンド回路１Ｂの回路構成図である。同図に示されたフロントエンド回路１Ｂは、実施の形態１に係るフロントエンド回路１の変形例である。本変形例に係るフロントエンド回路１Ｂは、スイッチ回路２５および４５と、信号経路６４、６５および６６と、帯域除去フィルタ３５と、フィルタ３６と、アンテナ接続端子１００と、を備える。
【００３６】
スイッチ回路２５は、共通端子２５ａ（第１共通端子）、選択端子２５ｂ（第１選択端子）、および選択端子２５ｃ（第２選択端子）を有し、共通端子２５ａと選択端子２５ｂとの接続および共通端子２５ａと選択端子２５ｃとの接続を排他的に切り替える第１スイッチ回路である。
【００３７】
共通端子２５ａは、アンテナ接続端子１００（第１入出力端子）に接続されている。選択端子２５ｂは信号経路６５および６６に接続され、選択端子２５ｃは信号経路６４に接続されている。
【００３８】
スイッチ回路４５は、共通端子４５ａ（第２共通端子）、選択端子４５ｂ（第３選択端子）、および選択端子４５ｃ（第４選択端子）を有し、共通端子４５ａと選択端子４５ｂとの接続および共通端子４５ａと選択端子４５ｃとの接続を排他的に切り替える第２スイッチ回路である。なお、選択端子４５ｂは、フロントエンド回路１ＢからＢａｎｄＢの高周波信号を出力する第２入出力端子に相当し、選択端子４５ｃは、フロントエンド回路１ＢからＢａｎｄＢの高周波信号を出力する第３入出力端子に相当する。
【００３９】
共通端子４５ａは、受信増幅器３Ｒに接続され、フロントエンド回路１Ｂから受信増幅器３Ｒへ高周波信号を出力する。
【００４０】
選択端子４５ｂは信号経路６５に接続され、選択端子４５ｃは信号経路６４に接続されている。
【００４１】
信号経路６６は、ＢａｎｄＡ（第２通信バンド）の高周波受信信号を伝搬する。信号経路６５は、ＢａｎｄＢ（第１通信バンド）の高周波受信信号を伝搬し、選択端子２５ｂと選択端子４５ｂとを結ぶ第１信号経路である。信号経路６４は、ＢａｎｄＢ（第１通信バンド）の高周波受信信号を伝搬し、選択端子２５ｃと選択端子４５ｃとを結ぶ第２信号経路である。
【００４２】
フィルタ３６は、信号経路６６に配置され、ＢａｎｄＡの高周波信号を受信するフィルタデバイスである。フィルタ３６の入力端は選択端子２５ｂに接続され、出力端はＢａｎｄＡの高周波信号を増幅する受信増幅器に接続されている。
【００４３】
帯域除去フィルタ３５は、信号経路６５に配置され、ＢａｎｄＡ（第２通信バンド）の高周波信号を減衰させ、ＢａｎｄＢ（第１通信バンド）の高周波信号を通過させる第１フィルタである。帯域除去フィルタ３５の入力端は選択端子２５ｂに接続され、出力端は選択端子４５ｂに接続されている。
【００４４】
フィルタ３６と帯域除去フィルタ３５とは、ＢａｎｄＡ（Ｗｉ−Ｆｉ（２．４ＧＨｚ帯））についてのエクストラクタを構成している。
【００４５】
信号経路６６は、フィルタが配置されないバイパス経路である。
【００４６】
なお、アンテナ接続端子１００と共通端子２５ａとの間に、ＢａｎｄＢおよびＢａｎｄＡを含む第１周波数帯域群を通過させる第２フィルタが配置されていてもよい。
【００４７】
上記構成を有するフロントエンド回路１Ｂにおいて、信号経路６５を経由したアンテナ接続端子１００から選択端子４５ｂへのＢａｎｄＢの高周波受信信号の伝送と、信号経路６４を経由したアンテナ接続端子１００から選択端子４５ｃへのＢａｎｄＢの高周波受信信号の伝送とが、排他的に切り替わる。
【００４８】
図１Ｃは、実施の形態１の変形例２に係るフロントエンド回路１Ｃの回路構成図である。本変形例に係るフロントエンド回路１Ｃは、変形例１に係るフロントエンド回路１Ｂと比較して、ＢａｎｄＡ（Ｗｉ−Ｆｉ（２．４ＧＨｚ帯））の高周波信号を伝送する信号経路６６およびフィルタ３６が配置されていない点のみが異なる。この構成であっても、信号経路６５を経由したアンテナ接続端子１００から選択端子４５ｂへのＢａｎｄＢの高周波受信信号の伝送と、信号経路６４を経由したアンテナ接続端子１００から選択端子４５ｃへのＢａｎｄＢの高周波受信信号の伝送とが、排他的に切り替わる。
【００４９】
［１．２  フロントエンド回路の信号経路切り替え］
図２Ａは、実施の形態１に係るフロントエンド回路１のＣＡ（ＴＤＤ／ＦＤＤ）モードにおける回路状態を示す図である。同図に示すように、ＢａｎｄＢ（第１通信バンド）のＴＤＤ方式による高周波受信信号を、例えば、ＢａｎｄＡのＦＤＤ方式による高周波受信信号と同時に受信する場合には、ＢａｎｄＡのＦＤＤ方式による高周波受信信号との干渉を考慮し、信号経路６２においてＢａｎｄＡの受信帯域を減衰させる。より具体的には、スイッチ回路２０において、共通端子２０ａと選択端子２０ｂとを接続し、かつ、共通端子２０ａと選択端子２０ｃとを接続する。また、スイッチ回路４０において、共通端子４０ａと選択端子４０ｂとを接続し、かつ、共通端子４０ａと選択端子４０ｃとを接続する。これにより、ＢａｎｄＢのＴＤＤ方式による高周波受信信号を、ＢａｎｄＡのＦＤＤ方式による高周波受信信号と同時に受信する場合には、スイッチ回路２０により受信フィルタ３２が配置された信号経路６２が選択されることで、信号経路６２を伝搬するＢａｎｄＢの高周波信号がＢａｎｄＡの高周波受信信号と相互干渉することを抑制できる。
【００５０】
図２Ｂは、実施の形態１に係るフロントエンド回路１のＴＤＤ単独モードにおける回路状態を示す図である。同図に示すように、ＢａｎｄＢのＴＤＤ方式による高周波受信信号を単独で受信する場合には、他の高周波信号の送信または受信への干渉を考慮しなくてよいので、ＢａｎｄＢ以外の高周波信号を減衰させなくてもよい。より具体的には、スイッチ回路２０において、共通端子２０ａと選択端子２０ｄとを接続する。また、スイッチ回路４０において、共通端子４０ａと選択端子４０ｄとを接続する。これにより、ＢａｎｄＢのＴＤＤ方式による高周波受信信号を単独で受信する場合には、スイッチ回路２０により、フィルタが配置されていない信号経路６３を選択することで、ＢａｎｄＢの高周波受信信号を低損失で伝送できる。
【００５１】
上記構成において、スイッチ回路４０の共通端子４０ａと選択端子４０ｃとが接続されるとともに、スイッチ回路２０の共通端子２０ａと選択端子２０ｃとが接続されている。また、スイッチ回路４０の共通端子４０ａと選択端子４０ｄとが接続されるとともに、スイッチ２０回路の共通端子２０ａと選択端子２０ｄとが接続されている。これにより、選択端子４０ｃおよび４０ｄに接続される増幅回路を、信号経路６２と信号経路６３とで共用できるので、回路の簡素化および小型化を実現できる。
【００５２】
なお、変形例１に係るフロントエンド回路１Ｂにおいて、ＢａｎｄＢ（セルラー帯域）のＴＤＤ方式による高周波受信信号を、例えば、ＢａｎｄＡ（Ｗｉ−Ｆｉ（２．４ＧＨｚ帯）による高周波受信信号と同時に受信する場合には、ＢａｎｄＡの高周波受信信号との干渉を考慮し、信号経路６５においてＢａｎｄＡ（Ｗｉ−Ｆｉ（２．４ＧＨｚ帯）の受信帯域を減衰させる。より具体的には、スイッチ回路２５において、共通端子２５ａと選択端子２５ｂとを接続する。また、スイッチ回路４５において、共通端子４５ａと選択端子４５ｂとを接続する。これにより、ＢａｎｄＢ（セルラー帯域）のＴＤＤ方式による高周波受信信号を、ＢａｎｄＡ（Ｗｉ−Ｆｉ（２．４ＧＨｚ帯）の高周波受信信号と同時に受信する場合には、帯域除去フィルタ３５およびフィルタ３６が配置された信号経路６５および６６が選択されることで、信号経路６５を伝搬するＢａｎｄＢの高周波信号がＢａｎｄＡの高周波受信信号と相互干渉することを抑制できる。
【００５３】
また、ＢａｎｄＢ（セルラー帯域）のＴＤＤ方式による高周波受信信号を単独で受信する場合には、他の高周波信号の送信または受信への干渉を考慮しなくてよいので、ＢａｎｄＢ以外の高周波信号を減衰させなくてもよい。より具体的には、スイッチ回路２５において、共通端子２５ａと選択端子２５ｃとを接続する。また、スイッチ回路４５において、共通端子４５ａと選択端子４５ｃとを接続する。これにより、ＢａｎｄＢ（セルラー帯域）のＴＤＤ方式による高周波受信信号を単独で受信する場合には、フィルタが配置されていない信号経路６４を選択することで、ＢａｎｄＢ（セルラー帯域）の高周波受信信号を低損失で伝送できる。
【００５４】
また、変形例２に係るフロントエンド回路１Ｃにおいて、ＢａｎｄＢ（セルラー帯域）のＴＤＤ方式による高周波受信信号を、例えば、ＢａｎｄＡ（Ｗｉ−Ｆｉ（２．４ＧＨｚ帯）による高周波受信信号と同時に受信する場合には、ＢａｎｄＡの高周波受信信号との干渉を考慮し、信号経路６５においてＢａｎｄＡ（Ｗｉ−Ｆｉ（２．４ＧＨｚ帯）の受信帯域を減衰させる。より具体的には、スイッチ回路２５において、共通端子２５ａと選択端子２５ｂとを接続する。また、スイッチ回路４５において、共通端子４５ａと選択端子４５ｂとを接続する。これにより、ＢａｎｄＢ（セルラー帯域）のＴＤＤ方式による高周波受信信号を、ＢａｎｄＡ（Ｗｉ−Ｆｉ（２．４ＧＨｚ帯）の高周波受信信号と同時に受信する場合には、帯域除去フィルタ３５が配置された信号経路６５が選択されることで、信号経路６５を伝搬するＢａｎｄＢの高周波信号がＢａｎｄＡの高周波受信信号と相互干渉することを抑制できる。
【００５５】
また、ＢａｎｄＢ（セルラー帯域）のＴＤＤ方式による高周波受信信号を単独で受信する場合には、他の高周波信号の送信または受信への干渉を考慮しなくてよいので、ＢａｎｄＢ以外の高周波信号を減衰させなくてもよい。より具体的には、スイッチ回路２５において、共通端子２５ａと選択端子２５ｃとを接続する。また、スイッチ回路４５において、共通端子４５ａと選択端子４５ｃとを接続する。これにより、ＢａｎｄＢ（セルラー帯域）のＴＤＤ方式による高周波受信信号を単独で受信する場合には、フィルタが配置されていない信号経路６４を選択することで、ＢａｎｄＢ（セルラー帯域）の高周波受信信号を低損失で伝送できる。
【００５６】
図３Ａは、比較例１に係るフロントエンド回路５００のＣＡ（ＴＤＤ／ＦＤＤ）モードにおける回路状態を示す図である。比較例１に係るフロントエンド回路５００は、実施の形態１に係るフロントエンド回路１と比較して、フィルタが配置されていない信号経路６３を備えていない点が異なる。同図に示すように、ＢａｎｄＢのＴＤＤ方式による高周波受信信号を、例えば、ＢａｎｄＡのＦＤＤ方式による高周波受信信号と同時に受信する場合には、実施の形態１に係るフロントエンド回路１と同様に、ＢａｎｄＡのＦＤＤ方式による高周波受信信号との干渉を考慮し、信号経路６２においてＢａｎｄＡの受信帯域を減衰させる。より具体的には、スイッチ回路５２０において、共通端子５２０ａと選択端子５２０ｂとを接続し、かつ、共通端子５２０ａと選択端子５２０ｃとを接続する。また、スイッチ回路５４０において、共通端子５４０ａと選択端子５４０ｂとを接続し、かつ、共通端子５４０ａと選択端子５４０ｃとを接続する。これにより、ＢａｎｄＢのＴＤＤ方式による高周波受信信号を、ＢａｎｄＡのＦＤＤ方式による高周波受信信号と同時に受信する場合には、スイッチ回路５２０により受信フィルタ３２が配置された信号経路６２が選択されることで、信号経路６２を伝搬するＢａｎｄＢの高周波信号がＢａｎｄＡの高周波受信信号と相互干渉することを抑制できる。
【００５７】
図３Ｂは、比較例１に係るフロントエンド回路５００のＴＤＤ単独モードにおける回路状態を示す図である。同図に示すように、ＢａｎｄＢのＴＤＤ方式による高周波受信信号を単独で受信する場合であっても、ＢａｎｄＢの高周波受信信号と、ＢａｎｄＡの高周波受信信号とを同時に受信する場合と同様に、スイッチ回路５２０において、共通端子５２０ａと選択端子５２０ｂとを接続し、かつ、共通端子５２０ａと選択端子５２０ｃとを接続する。また、スイッチ回路５４０において、共通端子５４０ａと選択端子５４０ｂとを接続し、かつ、共通端子５４０ａと選択端子５４０ｃとを接続する。つまり、ＢａｎｄＢのＴＤＤ方式による高周波受信信号を単独で受信する場合であっても、スイッチ回路５２０により、受信フィルタ３２が配置された信号経路６２を選択する。このため、比較例１に係るフロントエンド回路５００では、ＢａｎｄＢのＴＤＤ方式による高周波受信信号を単独で受信する場合に、高周波受信信号が受信フィルタ３２を通過するため、受信フィルタ３２の挿入損失に起因した伝搬損失を低減できない。
【００５８】
これに対して、本実施の形態に係るフロントエンド回路１の構成によれば、ＴＤＤおよびＦＤＤのような複数の通信方式を切り替えて高周波信号を伝送することが可能なシステムにおいて、ＴＤＤ方式の高周波信号を単独で受信する場合において、高周波信号の伝搬損失を低減できる。また、ＴＤＤ方式およびＦＤＤ方式の高周波信号を同時受信する場合には、相互干渉が抑制された高品質な高周波信号を伝搬できる。
【００５９】
なお、本実施の形態に係るフロントエンド回路１では、アンテナ２で受信した高周波信号の信号経路を、信号経路６２と信号経路６３とで切り替える構成を示したが、フロントエンド回路１を経由してアンテナ２から出力するための高周波信号を、信号経路６２と信号経路６３とで切り替える構成であってもよい。この場合には、受信フィルタ３２は、送信フィルタとして機能する。
【００６０】
この場合、ＢａｎｄＢ（第１通信バンド）のＴＤＤ方式による高周波送信信号を、ＢａｎｄＡのＦＤＤ方式による高周波送信信号と同時に受信する場合には、ＢａｎｄＡのＦＤＤ方式による高周波信号との干渉を考慮し、信号経路６２においてＢａｎｄＡの送信帯域を減衰させる。より具体的には、スイッチ回路２０において、共通端子２０ａと選択端子２０ｂとを接続し、かつ、共通端子２０ａと選択端子２０ｃとを接続する。また、スイッチ回路４０において、共通端子４０ａと選択端子４０ｂとを接続し、かつ、共通端子４０ａと選択端子４０ｃとを接続する。これにより、ＢａｎｄＢのＴＤＤ方式による高周波送信信号を、ＢａｎｄＡのＦＤＤ方式による高周波送信信号と同時に送信する場合には、スイッチ回路２０により、送信フィルタが配置された信号経路６２を選択することで、ＢａｎｄＡの高周波信号との相互干渉を抑制できる。
【００６１】
また、ＢａｎｄＢのＴＤＤ方式による高周波送信信号を単独で送信する場合には、他の高周波信号の送信または受信への干渉を考慮しなくてよいので、ＢａｎｄＢ以外の高周波信号を減衰させなくてもよい。より具体的には、スイッチ回路２０において、共通端子２０ａと選択端子２０ｄとを接続する。また、スイッチ回路４０において、共通端子４０ａと選択端子４０ｄとを接続する。これにより、ＢａｎｄＢのＴＤＤ方式による高周波送信信号を単独で受信する場合には、スイッチ回路２０により送信フィルタが配置されていない信号経路６３を選択することで、ＢａｎｄＢの高周波送信信号を低損失で伝送できる。
【００６２】
また、本実施の形態に係るフロントエンド回路１において、フィルタ１０は必須の構成要素ではない。ただし、フィルタ１０の配置により、ＢａｎｄＡおよびＢａｎｄＢの高周波信号の高調波が、信号経路６１〜６３以外の経路に出力することを抑制できる。また、ＢａｎｄＡまたはＢａｎｄＢの高周波信号と、第１周波数帯域群以外の周波数帯域群の高周波信号との同時通信を高品質で実現することが可能となる。
【００６３】
また、スイッチ回路２０とスイッチ回路４０とは、同一チップで形成されていてもよい。これにより、両端がスイッチ回路２０および４０に接続された信号経路６１〜６３の経路長を短縮できるので、ＢａｎｄＡおよびＢａｎｄＢの高周波信号をさらに低損失にできる。
【００６４】
なお、上記チップは、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）で構成されていてもよい。また、上記チップには、スイッチ回路２０および４０の切り替え動作を制御する制御部の一部、ならびに、送信増幅器および受信増幅器などが含まれていてもよい。これにより、スイッチ回路２０および４０、増幅回路、ならびに制御部を１チップのＣＭＯＳで構成することで、フロントエンド回路１を安価に製造することが可能となる。また、上記チップは、ＧａＡｓで構成されていてもよい。これにより、高品質な増幅性能および雑音性能を有する高周波信号を出力することが可能となる。
【００６５】
また、本実施の形態に係るフロントエンド回路１において、スイッチ回路４０はなくてもよい。この場合であっても、（１）ＢａｎｄＢのＴＤＤ方式による高周波受信信号を、ＢａｎｄＡのＦＤＤ方式による高周波受信信号と同時に受信する場合、および（２）ＢａｎｄＢのＴＤＤ方式による高周波受信信号を単独で受信する場合、に応じて、スイッチ回路２０を切り替えることにより、ＢａｎｄＢのＴＤＤ方式による高周波送信信号を単独で受信する場合には、スイッチ回路２０により送信フィルタが配置されていない信号経路６３を選択することで、ＢａｎｄＢの高周波送信信号を低損失で伝送できる。なお、この場合、選択端子４０ｂはフロントエンド回路１からＢａｎｄＡの高周波信号を出力する第４入出力端子となり、選択端子４０ｃはフロントエンド回路１からＢａｎｄＢの高周波信号を出力する第２入出力端子となり、選択端子４０ｄはフロントエンド回路１からＢａｎｄＢの高周波信号を出力する第３入出力端子となる。ただし、スイッチ回路４０が配置されていない構成の場合、信号経路６２および６３のそれぞれに、受信増幅器を配置する必要がある。
【００６６】
また、本実施の形態に係るフロントエンド回路１は、さらに、スイッチ回路２０および４０の切り替え動作を制御する制御部を備えてもよい。このとき、制御部は、ＴＤＤ方式によりＢａｎｄＢの高周波信号を単独で伝送させる場合には、共通端子２０ａと選択端子２０ｄとを接続させ、かつ、共通端子４０ａと選択端子４０ｄとを接続させる。一方、ＴＤＤ方式によるＢａｎｄＢの高周波信号の伝送と、ＦＤＤ方式によるＢａｎｄＡの高周波信号の伝送とを同時に行う場合には、共通端子２０ａと選択端子２０ｃとを接続させ、かつ、共通端子４０ａと選択端子４０ｃとを接続させる。これにより、フロントエンド回路１が有する制御部が、ＴＤＤ／ＦＤＤの通信方式の選択情報を外部から受けることでスイッチ回路２０および４０の切り替えを行うので、フロントエンド回路１の高機能化および制御信号の伝送配線の短縮化に伴う高速スイッチングが可能となる。
【００６７】
なお、上記制御部は、フロントエンド回路１に含まれなくてもよく、ＲＦＩＣ４またはＢＢＩＣ５などに含まれていてもよい。この場合には、通信装置６が上記制御部を備えることとなる。
【００６８】
また、本実施の形態に係るフロントエンド回路１は、受信増幅器３Ｒおよび送信増幅器３Ｔの少なくとも１つを含んでもよい。
【００６９】
［１．３  実施の形態１のまとめ］
本実施の形態に係るフロントエンド回路１は、フロントエンド回路１に高周波信号を入力またはフロントエンド回路１から高周波信号を出力する第１入出力端子（アンテナ接続端子１００）、第２入出力端子（選択端子４０ｃ）、および第３入出力端子（選択端子４０ｄ）と、アンテナ接続端子１００に接続された共通端子２０ａ、ならびに、選択端子２０ｃおよび２０ｄを有し、共通端子２０ａと選択端子２０ｃとの接続、および、共通端子２０ａと選択端子２０ｄとの接続を排他的に切り替えるスイッチ回路２０と、ＢａｎｄＢ（第１通信バンド）の高周波信号を通過させる受信フィルタ３２と、選択端子２０ｃと選択端子４０ｃとを結ぶ経路であって、受信フィルタ３２が配置された信号経路６２と、選択端子２０ｄと選択端子４０ｄとを結ぶ経路であって、フィルタが配置されないバイパス経路である信号経路６３と、を備える。ここで、信号経路６２を経由したアンテナ接続端子１００から選択端子４０ｃへのＢａｎｄＢの高周波信号の伝送と、信号経路６３を経由したアンテナ接続端子１００から選択端子４０ｄへのＢａｎｄＢの高周波信号の伝送とが、排他的に切り替わる。
【００７０】
上記構成によれば、ＢａｎｄＢの高周波信号を単独で受信する場合には、他の高周波信号の送信または受信への干渉を考慮しなくてよいので、ＢａｎｄＢ以外の高周波信号を減衰させなくてもよい。よって、この場合には、スイッチ回路２０によりフィルタが配置されていない信号経路６３を選択することで、ＢａｎｄＢの高周波信号を低損失で伝送できる。一方、ＢａｎｄＢの高周波信号を、他バンドの高周波信号と同時に受信する場合には、他バンドの高周波信号との干渉を考慮し、当該バンドを減衰させる。よって、この場合には、スイッチ回路２０により受信フィルタ３２が配置された信号経路６２を選択することで、他バンドの高周波信号との相互干渉を抑制できる。
【００７１】
また、本実施の形態に係るフロントエンド回路１は、フロントエンド回路１に高周波信号を入力またはフロントエンド回路１から高周波信号を出力する第１入出力端子（アンテナ接続端子１００）、第２入出力端子（選択端子４０ｃ）、および第３入出力端子（選択端子４０ｄ）と、共通端子２０ａ、選択端子２０ｃおよび２０ｄを有し、共通端子２０ａと選択端子２０ｃとの接続、および、共通端子２０ａと選択端子２０ｄとの接続を排他的に切り替えるスイッチ回路２０と、ＢａｎｄＢの高周波信号を通過させる受信フィルタ３２と、選択端子２０ｃと選択端子４０ｃとを結ぶ経路であって、受信フィルタ３２が配置されＢａｎｄＢの高周波信号を伝搬する信号経路６２と、選択端子２０ｄと選択端子４０ｄとを結ぶ経路であって、フィルタが配置されないバイパス経路であり、ＢａｎｄＢの高周波信号を伝搬する信号経路６３と、アンテナ接続端子１００と共通端子２０ａとの間に接続され、ＢａｎｄＢを含む第１周波数帯域群を通過させるフィルタ１０と、を備える。
【００７２】
上記構成によれば、ＢａｎｄＢの高周波信号を単独で受信する場合には、他の高周波信号の送信または受信への干渉を考慮しなくてよいので、ＢａｎｄＢ以外の高周波信号を減衰させなくてもよい。よって、この場合には、スイッチ回路２０によりフィルタが配置されていない信号経路６３を選択することで、ＢａｎｄＢの高周波信号を低損失で伝送できる。一方、ＢａｎｄＢの高周波信号を、他バンドの高周波信号と同時に受信する場合には、他バンドの高周波信号の送信または受信との干渉を考慮し、当該バンドを減衰させる。よって、この場合には、スイッチ回路２０により受信フィルタ３２が配置された信号経路６２を選択することで、他バンドの高周波信号との相互干渉を抑制できる。また、フィルタ１０により、ＢａｎｄＢの高調波の出力を抑制でき、また、ＢａｎｄＢの高周波信号と第１周波数帯域群以外の周波数帯域群の高周波信号との同時通信を実現することが可能となる。
【００７３】
（実施の形態２）
本実施の形態では、実施の形態１に係るフロントエンド回路１を２系統以上有し、異なる系統のフロントエンド回路の間で、ＣＡを実行することが可能なフロントエンド回路について説明する。
【００７４】
［２．１  フロントエンド回路の回路構成］
図４は、実施の形態２に係るフロントエンド回路１Ａの回路構成図である。同図に示すように、フロントエンド回路１Ａは、スイッチ回路２１、２３、２４、４１、４３および４４と、信号経路７１、７２、７３、７４、７５、８１、８２、８３、９１、９２、９３および１０１と、受信フィルタ５１Ｒ、５２Ｒ、５３Ｒ、５４、５５、５６Ｒ、５７および５８Ｒと、フィルタ１１、１２、１３および１４と、アンテナ接続端子１００と、を備える。フロントエンド回路１Ａは、例えば、マルチモード／マルチバンド対応の携帯電話のフロントエンドに配置される。
【００７５】
フロントエンド回路１Ａは、実施の形態１に係るフロントエンド回路１に相当する回路ユニットが、アンテナ接続端子１００に４系統接続された構成となっている。第１の回路ユニットは、スイッチ回路２１および４１と、信号経路７１〜７５と、受信フィルタ５１Ｒ、５２Ｒ、５３Ｒ、５４および５５と、フィルタ１１とで構成されている。第２の回路ユニットは、信号経路１０１と、フィルタ１２とで構成されている。第３の回路ユニットは、スイッチ回路２３および４３と、信号経路８１〜８３と、受信フィルタ５５および５６Ｒと、フィルタ１３とで構成されている。第４の回路ユニットは、スイッチ回路２４および４４と、信号経路９１〜９３と、受信フィルタ５７および５８Ｒと、フィルタ１４とで構成されている。
【００７６】
スイッチ回路２１は、共通端子２１ａ（第１共通端子）、選択端子２１ｂ（第５選択端子）、選択端子２１ｃ、選択端子２１ｄ、選択端子２１ｅ（第１選択端子）、および選択端子２１ｆ（第２選択端子）を有し、共通端子２１ａと選択端子２１ｅとの接続および共通端子２１ａと選択端子２１ｆとの接続を排他的に切り替える第１スイッチ回路である。
【００７７】
共通端子２１ａは、フィルタ１１を介してアンテナ接続端子１００（第１入出力端子）に接続されている。選択端子２１ｂは信号経路７１に接続され、選択端子２１ｃは信号経路７２に接続され、選択端子２１ｄは信号経路７３に接続され、選択端子２１ｅは信号経路７４に接続され、選択端子２１ｆは信号経路７５に接続されている。
【００７８】
スイッチ回路４１は、共通端子４１ａ（第２共通端子）、選択端子４１ｂ、選択端子４１ｃ、選択端子４１ｄ、選択端子４１ｅ（第３選択端子）、および選択端子４１ｆ（第４選択端子）を有し、共通端子４１ａと選択端子４１ｅとの接続および共通端子４１ａと選択端子４１ｆとの接続を排他的に切り替える第２スイッチ回路である。なお、選択端子４１ｂは、フロントエンド回路１ＡからＢａｎｄＡ１の高周波信号を出力する第４入出力端子に相当し、選択端子４１ｅは、フロントエンド回路１ＡからＢａｎｄＡ４の高周波信号を出力する第２入出力端子に相当し、選択端子４１ｆは、フロントエンド回路１ＡからＢａｎｄＡ４の高周波信号を出力する第３入出力端子に相当する。
【００７９】
共通端子４１ａは、受信増幅器３ＡＲに接続され、フロントエンド回路１Ａから受信増幅器３ＡＲへ高周波信号を出力する。
【００８０】
選択端子４１ｂは信号経路７１に接続され、選択端子４１ｃは信号経路７２に接続され、選択端子４１ｄは信号経路７３に接続され、選択端子４１ｅは信号経路７４に接続され、選択端子４１ｆは信号経路７５に接続されている。
【００８１】
信号経路７１は、ＢａｎｄＡ１（第２通信バンド）の高周波信号を伝搬し、選択端子２１ｂと選択端子４１ｂとを結ぶ第３信号経路である。信号経路７２は、ＢａｎｄＡ２の高周波信号を伝搬し、選択端子２１ｃと選択端子４１ｃとを結ぶ第３信号経路である。信号経路７３は、ＢａｎｄＡ３の高周波信号を伝搬し、選択端子２１ｄと選択端子４１ｄとを結ぶ第３信号経路である。信号経路７４は、ＢａｎｄＡ４（第１通信バンド）の高周波信号を伝搬し、選択端子２１ｅと選択端子４１ｅとを結ぶ第１信号経路である。信号経路７５は、ＢａｎｄＡ４（第１通信バンド）の高周波信号を伝搬し、選択端子２１ｆと選択端子４１ｆとを結ぶ第２信号経路である。
【００８２】
受信フィルタ５１Ｒは、ＢａｎｄＡ１の高周波信号をＦＤＤ方式で受信するためのフィルタである。受信フィルタ５１Ｒの入力端が信号経路７１を介して選択端子２１ｂに接続され、出力端が信号経路７１を介して選択端子４１ｂに接続されている。受信フィルタ５１Ｒは、信号経路７１に配置された第３フィルタである。
【００８３】
受信フィルタ５２Ｒは、ＢａｎｄＡ２の高周波信号をＦＤＤ方式で受信するためのフィルタである。受信フィルタ５２Ｒの入力端が信号経路７２を介して選択端子２１ｃに接続され、出力端が信号経路７２を介して選択端子４１ｃに接続されている。受信フィルタ５２Ｒは、信号経路７２に配置された第３フィルタである。
【００８４】
受信フィルタ５３Ｒは、ＢａｎｄＡ３の高周波信号をＦＤＤ方式で受信するためのフィルタである。受信フィルタ５３Ｒの入力端が信号経路７３を介して選択端子２１ｄに接続され、出力端が信号経路７３を介して選択端子４１ｄに接続されている。受信フィルタ５３Ｒは、信号経路７３に配置された第３フィルタである。
【００８５】
受信フィルタ５４は、ＢａｎｄＡ４（第１通信バンド）の高周波信号を通過させ、信号経路７４に配置された第１フィルタである。受信フィルタ５４は、ＢａｎｄＡ４（第１通信バンド）の高周波信号をＴＤＤ方式で受信するフィルタである。
【００８６】
信号経路７５は、フィルタが配置されないバイパス経路である。
【００８７】
信号経路７４および７５には、ＴＤＤ方式のＢａｎｄＡ４の高周波信号が伝送される。
【００８８】
フィルタ１１は、アンテナ接続端子１００と共通端子２１ａとの間に接続され、ＢａｎｄＡ１〜Ａ４を含む第１周波数帯域群を通過させる第２フィルタである。
【００８９】
上記構成において、信号経路７４を経由したアンテナ接続端子１００から選択端子４１ｅへのＢａｎｄＡ４の高周波受信信号の伝送と、信号経路７５を経由したアンテナ接続端子１００から選択端子４１ｆへのＢａｎｄＡ４の高周波受信信号の伝送とが、排他的に切り替わる。
【００９０】
なお、本実施の形態に係るフロントエンド回路１Ａは、信号経路７１〜７３のうち、少なくとも１つ有していればよい。また、スイッチ回路２１および４１の選択端子の数は、信号経路の数に対応していればよい。
【００９１】
信号経路１０１は、ＢａｎｄＢ１の高周波信号を伝搬し、フィルタ１２と受信増幅器３ＢＲとを結ぶ経路である。
【００９２】
フィルタ１２は、アンテナ接続端子１００と信号経路１０１との間に接続され、ＢａｎｄＢ１を含む第２周波数帯域群を通過させるフィルタである。
【００９３】
信号経路１０１には、ＦＤＤ方式のＢａｎｄＢ１の高周波信号が伝送される。
【００９４】
なお、本実施の形態では、第２周波数帯域群に属する通信バンドは、ＢａｎｄＢ１のみであるため、第２周波数帯域群に属する他の通信バンドとの干渉を考慮する必要がないため、信号経路１０１にはフィルタが配置されていない。なお、フィルタ１２および信号経路１０１は、本実施の形態に係るフロントエンド回路１Ａに必須の構成要素ではない。
【００９５】
スイッチ回路２３は、共通端子２３ａ（第３共通端子）、選択端子２３ｂ（第６選択端子）、選択端子２３ｃ（第８選択端子）、および選択端子２３ｄ（第７選択端子）を有し、共通端子２３ａと選択端子２３ｂとの接続および共通端子２３ａと選択端子２３ｄとの接続を排他的に切り替える第３スイッチ回路である。
【００９６】
共通端子２３ａは、フィルタ１３を介してアンテナ接続端子１００（第１入出力端子）に接続されている。選択端子２３ｂは信号経路８１に接続され、選択端子２３ｃは信号経路８２に接続され、選択端子２３ｄは信号経路８３に接続されている。
【００９７】
スイッチ回路４３は、共通端子４３ａ、選択端子４３ｂ、選択端子４３ｃ、および選択端子４３ｄを有し、共通端子４３ａと選択端子４３ｂとの接続および共通端子４３ａと選択端子４３ｄとの接続を排他的に切り替えるスイッチ回路である。なお、選択端子４３ｂは、フロントエンド回路１ＡからＢａｎｄＣ１の高周波信号を出力する第５入出力端子に相当し、選択端子４３ｃは、フロントエンド回路１ＡからＢａｎｄＣ２の高周波信号を出力する第７入出力端子に相当し、選択端子４３ｄは、フロントエンド回路１ＡからＢａｎｄＣ１の高周波信号を出力する第６入出力端子に相当する。
【００９８】
共通端子４３ａは、受信増幅器３ＣＲに接続され、フロントエンド回路１Ａから受信増幅器３ＣＲへ高周波信号を出力する。
【００９９】
選択端子４３ｂは信号経路８１に接続され、選択端子４３ｃは信号経路８２に接続され、選択端子４３ｄは信号経路８３に接続されている。
【０１００】
信号経路８１は、ＢａｎｄＣ１（第３通信バンド）の高周波信号を伝搬し、選択端子２３ｂと選択端子４３ｂとを結ぶ第４信号経路である。信号経路８２は、ＢａｎｄＣ２（第４通信バンド）の高周波信号を伝搬し、選択端子２３ｃと選択端子４３ｃとを結ぶ第６信号経路である。信号経路８３は、ＢａｎｄＣ１（第３通信バンド）の高周波信号を伝搬し、選択端子２３ｄと選択端子４３ｄとを結ぶ第５信号経路である。
【０１０１】
受信フィルタ５５は、ＢａｎｄＣ１（第３通信バンド）の高周波信号を通過させ、信号経路８１に配置された第５フィルタである。受信フィルタ５５は、ＢａｎｄＣ１（第３通信バンド）の高周波信号をＴＤＤ方式で受信するフィルタである。
【０１０２】
受信フィルタ５６Ｒは、ＢａｎｄＣ２の高周波信号をＦＤＤ方式で受信するためのフィルタである。受信フィルタ５６Ｒの入力端が信号経路８２を介して選択端子２３ｃに接続され、出力端が信号経路８２を介して選択端子４３ｃに接続されている。受信フィルタ５６Ｒは、信号経路８２に配置された第６フィルタである。
【０１０３】
信号経路８３は、フィルタが配置されないバイパス経路である。
【０１０４】
信号経路８１および８３には、ＴＤＤ方式のＢａｎｄＣ１の高周波信号が伝送される。
【０１０５】
フィルタ１３は、アンテナ接続端子１００と共通端子２３ａとの間に接続され、ＢａｎｄＣ１およびＣ２を含む第３周波数帯域群を通過させる第４フィルタである。
【０１０６】
上記構成において、信号経路８１を経由したアンテナ接続端子１００から選択端子４３ｂへのＢａｎｄＣ１の高周波受信信号の伝送と、信号経路８３を経由したアンテナ接続端子１００から選択端子４３ｃへのＢａｎｄＣ１の高周波受信信号の伝送とが、排他的に切り替わる。
【０１０７】
スイッチ回路２４は、共通端子２４ａ（第３共通端子）、選択端子２４ｂ（第６選択端子）、選択端子２４ｃ（第８選択端子）、および選択端子２４ｄ（第７選択端子）を有し、共通端子２４ａと選択端子２４ｂとの接続および共通端子２４ａと選択端子２４ｄとの接続を排他的に切り替える第３スイッチ回路である。
【０１０８】
共通端子２４ａは、フィルタ１４を介してアンテナ接続端子１００（第１入出力端子）に接続されている。選択端子２４ｂは信号経路９１に接続され、選択端子２４ｃは信号経路９２に接続され、選択端子２４ｄは信号経路９３に接続されている。
【０１０９】
スイッチ回路４４は、共通端子４４ａ、選択端子４４ｂ、選択端子４４ｃ、および選択端子４４ｄを有し、共通端子４４ａと選択端子４４ｂとの接続および共通端子４４ａと選択端子４４ｄとの接続を排他的に切り替えるスイッチ回路である。なお、選択端子４４ｂは、フロントエンド回路１ＡからＢａｎｄＤ１の高周波信号を出力する第５入出力端子に相当し、選択端子４４ｃは、フロントエンド回路１ＡからＢａｎｄＤ２の高周波信号を出力する第７入出力端子に相当し、選択端子４４ｄは、フロントエンド回路１ＡからＢａｎｄＤ１の高周波信号を出力する第６入出力端子に相当する。
【０１１０】
共通端子４４ａは、受信増幅器３ＤＲに接続され、フロントエンド回路１Ａから受信増幅器３ＤＲへ高周波信号を出力する。
【０１１１】
選択端子４４ｂは信号経路９１に接続され、選択端子４４ｃは信号経路９２に接続され、選択端子４４ｄは信号経路９３に接続されている。
【０１１２】
信号経路９１は、ＢａｎｄＤ１（第３通信バンド）の高周波信号を伝搬し、選択端子２４ｂと選択端子４４ｂとを結ぶ第４信号経路である。信号経路９２は、ＢａｎｄＤ２（第４通信バンド）の高周波信号を伝搬し、選択端子２４ｃと選択端子４４ｃとを結ぶ第６信号経路である。信号経路９３は、ＢａｎｄＤ１（第３通信バンド）の高周波信号を伝搬し、選択端子２４ｄと選択端子４４ｄとを結ぶ第５信号経路である。
【０１１３】
受信フィルタ５７は、ＢａｎｄＤ１（第３通信バンド）の高周波信号を通過させ、信号経路９１に配置された第５フィルタである。受信フィルタ５７は、ＢａｎｄＤ１（第３通信バンド）の高周波信号をＴＤＤ方式で受信するフィルタである。
【０１１４】
受信フィルタ５８Ｒは、ＢａｎｄＤ２の高周波信号をＦＤＤ方式で受信するためのフィルタである。受信フィルタ５８Ｒの入力端が信号経路９２を介して選択端子２４ｃに接続され、出力端が信号経路９２を介して選択端子４４ｃに接続されている。受信フィルタ５８Ｒは、信号経路９２に配置された第６フィルタである。
【０１１５】
信号経路９３は、フィルタが配置されないバイパス経路である。
【０１１６】
信号経路９１および９３には、ＴＤＤ方式のＢａｎｄＤ１の高周波信号が伝送される。
【０１１７】
フィルタ１４は、アンテナ接続端子１００と共通端子２４ａとの間に接続され、ＢａｎｄＤ１およびＤ２を含む第４周波数帯域群を通過させる第４フィルタである。
【０１１８】
上記構成において、信号経路９１を経由したアンテナ接続端子１００から選択端子４４ｂへのＢａｎｄＤ１の高周波受信信号の伝送と、信号経路９３を経由したアンテナ接続端子１００から選択端子４４ｃへのＢａｎｄＤ１の高周波受信信号の伝送とが、排他的に切り替わる。
【０１１９】
フィルタ１１〜１４の配置により、一の周波数帯域群の高周波信号の高調波が、他の周波数帯域群に対応する回路ユニットに漏洩することを抑制できる。また、異なる周波数帯域群の間での高周波信号の同時通信を高品質で実現することが可能となる。
【０１２０】
なお、上記の各受信フィルタおよびフィルタ１１〜１４は、弾性表面波フィルタ、弾性境界波フィルタ、または、ＢＡＷを用いた弾性波フィルタのいずれかであってもよい。さらには、上記の各受信フィルタおよびフィルタ１１〜１４は、弾性波フィルタでなくてもよく、ＬＣフィルタまたは誘電体フィルタなどであってもよく、フィルタ構造は任意である。
【０１２１】
なお、本実施の形態に係るフロントエンド回路１において、ＢａｎｄＣ１およびＣ２の高周波信号を伝搬させる回路、ならびに、ＢａｎｄＤ１およびＤ２の高周波信号を伝搬させる回路のうち、いずれか一方の回路がなくてもよい。
【０１２２】
なお、ＢａｎｄＡ４（第１通信バンド）は、例えば、ＬＴＥのバンド３９（帯域：１８８０−１９２０ＭＨｚ）に適用され、ＢａｎｄＣ１（第３通信バンド）は、例えば、ＬＴＥのバンド４０（帯域：２３００−２４００ＭＨｚ）に適用され、ＢａｎｄＤ１（第３通信バンド）は、例えば、ＬＴＥのバンド４１（帯域：２４９６−２６９０ＭＨｚ）に適用される。
【０１２３】
この場合、フィルタ１１は、例えば、ミドルローバンド（ＭＬＢ：１４７５．９−２０２５ＭＨｚ）を通過帯域とする低域通過フィルタである。また、フィルタ１２は、例えば、ミドルバンド（ＭＢ：２１１０−２２００ＭＨｚ）を通過帯域とする帯域通過フィルタである。また、フィルタ１３は、例えば、ミドルハイバンド（ＭＨＢ：２３００−２４００ＭＨｚ）を通過帯域とする帯域通過フィルタである。また、フィルタ１４は、例えば、ハイバンド（ＨＢ：２４９６−２６９０ＭＨｚ）を通過帯域とする帯域通過フィルタである。
【０１２４】
さらに、ＢａｎｄＡ１は、例えば、ＬＴＥのバンド３（受信帯域：１８０５−１８８０ＭＨｚ）に適用され、ＢａｎｄＡ２は、例えば、ＬＴＥのバンド２５（受信帯域：１９３０−１９９５ＭＨｚ）に適用され、ＢａｎｄＡ３は、例えば、ＬＴＥのバンド３４（帯域：２０１０−２０２５ＭＨｚ）に適用される。また、ＢａｎｄＢ１は、例えば、ＬＴＥのバンド１／６６（受信帯域：２１１０−２２００ＭＨｚ）に適用される。また、ＢａｎｄＣ２は、例えば、ＬＴＥのバンド３０（受信帯域：２３５０−２３６０ＭＨｚ）に適用される。また、ＢａｎｄＤ２は、例えば、ＬＴＥのバンド７（受信帯域：２６２０−２６９０ＭＨｚ）に適用される。
【０１２５】
つまり、ＢａｎｄＡ４（第１通信バンド）とＢａｎｄＡ１−Ａ３（第２通信バンド）とは、４つの異なる周波数帯域群であるミドルローバンド、ミドルバンド、ミドルハイバンド、およびハイバンドのうちの同じ周波数帯域群に属してもよい。また、ＢａｎｄＣ１（第３通信バンド）とＢａｎｄＣ２（第４通信バンド）とは、上記４つの異なる周波数帯域群のうちの同じ周波数帯域群に属してもよい。また、ＢａｎｄＤ１（第３通信バンド）とＢａｎｄＤ２（第４通信バンド）とは、上記４つの異なる周波数帯域群のうちの同じ周波数帯域群に属してもよい。
【０１２６】
［２．２  フロントエンド回路の信号経路切り替え］
図５Ａは、実施の形態２に係るフロントエンド回路のＣＡ（ＴＤＤ／ＦＤＤ）モードにおける回路状態を示す図である。同図に示すように、ＢａｎｄＣ１（第３通信バンド）のＴＤＤ方式による高周波受信信号を、例えば、ＢａｎｄＡ１のＦＤＤ方式による高周波受信信号、ＢａｎｄＢ１のＦＤＤ方式による高周波受信信号、およびＢａｎｄＤ２のＦＤＤ方式による高周波受信信号と同時に受信する場合には、ＢａｎｄＡ１、Ｂ１およびＤ２のＦＤＤ方式による高周波受信信号との干渉を考慮し、信号経路８１においてＢａｎｄＡ１、Ｂ１およびＤ２の受信帯域を減衰させる。より具体的には、スイッチ回路２３において共通端子２３ａと選択端子２３ｂとを接続し、スイッチ回路２１において共通端子２１ａと選択端子２１ｂとを接続し、スイッチ回路２４において共通端子２４ａと選択端子２３ｃとを接続する。また、スイッチ回路４３において共通端子４３ａと選択端子４３ｂとを接続し、スイッチ回路４１において共通端子４１ａと選択端子４１ｂとを接続し、スイッチ回路４４において共通端子４４ａと選択端子４３ｃとを接続する。さらに、受信増幅器３ＡＲ、３ＢＲ、３ＣＲおよび３ＤＲをオン状態にする。これにより、ＢａｎｄＣ１のＴＤＤ方式による高周波受信信号を、ＢａｎｄＡ１、Ｂ１およびＤ２のＦＤＤ方式による高周波受信信号と同時に受信する場合には、スイッチ回路２３により、受信フィルタ５５が配置された信号経路８１を選択することで、ＢａｎｄＡ１、Ｂ１およびＤ２の高周波受信信号との相互干渉を抑制できる。
【０１２７】
図５Ｂは、実施の形態２に係るフロントエンド回路１ＡのＴＤＤ単独モードにおける回路状態を示す図である。同図に示すように、ＢａｎｄＡ４のＴＤＤ方式による高周波受信信号とＢａｎｄＤ１のＴＤＤ方式による高周波受信信号とを同期させて受信する場合（ＴＤＤ単独モード）には、同期しているＢａｎｄＡ４およびＤ１の高周波信号以外の送信または受信との干渉を考慮しなくてよいので、ＢａｎｄＡ４およびＤ１以外の高周波信号を減衰させなくてもよい。より具体的には、スイッチ回路２１において、共通端子２１ａと選択端子２１ｆとを接続し、スイッチ回路４１において、共通端子４１ａと選択端子４１ｆとを接続する。また、スイッチ回路２４において、共通端子２４ａと選択端子２４ｄとを接続し、スイッチ回路４４において、共通端子４４ａと選択端子４４ｄとを接続する。さらに、受信増幅器３ＡＲおよび３ＤＲをオン状態にし、受信増幅器３ＢＲおよび３ＣＲをオフ状態にする。これにより、ＴＤＤ方式による高周波受信信号をＴＤＤ単独モードで受信する場合には、スイッチ回路２１および２４により、フィルタが配置されていない信号経路７５および９３を選択することで、ＢａｎｄＡ４およびＤ１の高周波受信信号を低損失で伝送できる。
【０１２８】
なお、上述したＴＤＤ単独モードには、ＴＤＤ方式に適用される単一の通信バンドの高周波信号を受信する場合に限られず、ＴＤＤ方式に適用される複数の通信バンドの高周波信号が同期して受信する場合も含まれる。ただし、ＴＤＤ方式に適用される複数の通信バンドの高周波信号が非同期で受信している場合は、ＴＤＤ単独モードには含まれない。
【０１２９】
図６は、比較例２に係るフロントエンド回路５００ＡのＴＤＤ単独モードにおける回路状態を示す図である。比較例２に係るフロントエンド回路５００Ａは、実施の形態２に係るフロントエンド回路１Ａと比較して、フィルタが配置されていない信号経路７５および９３を備えていない点が異なる。同図に示すように、ＢａｎｄＡ４のＴＤＤ方式による高周波受信信号とＢａｎｄＤ１のＴＤＤ方式による高周波受信信号とを同期させて受信する場合（ＴＤＤ単独モード）であっても、ＢａｎｄＡ４およびＤ１のＴＤＤ方式の高周波受信信号と、その他のＦＤＤ方式の高周波受信信号とを同時に受信する場合と同様に、スイッチ回路５２１において共通端子５２１ａと選択端子５２１ｅとを接続し、スイッチ回路５４１において共通端子５４１ａと選択端子５４１ｅとを接続する。また、スイッチ回路５２４において、共通端子５２４ａと選択端子５２４ｂとを接続し、スイッチ回路５４４において、共通端子５４４ａと選択端子５４４ｂとを接続する。さらに、受信増幅器３ＡＲおよび３ＤＲをオン状態にし、受信増幅器３ＢＲおよび３ＣＲをオフ状態にする。つまり、ＢａｎｄＡ４およびＤ１のＴＤＤ単独モードであっても、スイッチ回路５２１および５２４により、受信フィルタ５４が配置された信号経路７４および受信フィルタ５７が配置された信号経路９１を選択する。このため、比較例２に係るフロントエンド回路５００Ａでは、ＴＤＤ単独モードで受信する場合に、高周波受信信号が受信フィルタ５４および５７を通過するため、伝搬損失を低減できない。
【０１３０】
これに対して、本実施の形態に係るフロントエンド回路１Ａの構成によれば、ＴＤＤおよびＦＤＤのような複数の通信方式を切り替えて高周波信号を伝送することが可能なシステムにおいて、ＴＤＤ単独モードで受信する場合において、高周波信号の伝搬損失を低減できる。また、異なる周波数帯域群の間において、ＴＤＤ方式およびＦＤＤ方式の双方を含むＣＡ動作が可能となり、ＴＤＤ方式およびＦＤＤ方式の高周波信号を同時受信する場合であっても、相互干渉が抑制された高品質な高周波信号を伝搬できる。
【０１３１】
なお、本実施の形態に係るフロントエンド回路１Ａでは、送信系回路が配置されていてもよい。この場合、ＦＤＤ方式に適用される受信フィルタ５１Ｒ〜５３Ｒ、５６Ｒおよび５８Ｒのそれぞれに対して送信フィルタが配置される。
【０１３２】
また、本実施の形態に係るフロントエンド回路１Ａは、実施の形態１に係るフロントエンド回路１と同様に、フロントエンド回路１Ａを経由してアンテナ２から出力するための高周波送信信号を、各信号経路で切り替える構成であってもよい。この場合には、各受信フィルタは、送信フィルタとして機能する。
【０１３３】
また、本実施の形態に係るフロントエンド回路１Ａは、さらに、スイッチ回路２１、２３、２４、４１、４３および４４の切り替え動作を制御する制御部を備えてもよい。このとき、制御部は、ＴＤＤ方式によるＢａｎｄＡ４、Ｃ１およびＤ１のうちのいずれかの高周波信号を単独で、または、ＴＤＤ方式によるＢａｎｄＡ４、Ｃ１およびＤ１のうちの少なくとも２以上の高周波信号を同期して伝送させる場合には、（１）共通端子２１ａと選択端子２１ｆとの接続かつ共通端子４１ａと選択端子４１ｆとの接続、（２）共通端子２３ａと選択端子２３ｄとの接続かつ共通端子４３ａと選択端子４３ｄとの接続、（３）共通端子２４ａと選択端子２４ｄとの接続かつ共通端子４４ａと選択端子４４ｄとの接続、を適宜実行する。
【０１３４】
また、ＴＤＤ方式によるＢａｎｄＡ４、Ｃ１およびＤ１のうちの少なくとも２以上の高周波信号を非同期で伝送させる場合には、（１）共通端子２１ａと選択端子２１ｅとの接続かつ共通端子４１ａと選択端子４１ｅとの接続、（２）共通端子２３ａと選択端子２３ｂとの接続かつ共通端子４３ａと選択端子４３ｂとの接続、（３）共通端子２４ａと選択端子２４ｂとの接続かつ共通端子４４ａと選択端子４４ｂとの接続、を適宜実行する。
【０１３５】
また、ＴＤＤ方式によるＢａｎｄＡ４、Ｃ１およびＤ１のうちの少なくとも１つの高周波信号の伝送と、ＦＤＤ方式による通信バンドの高周波信号の伝送とを同時に行う場合には、以下のような切り替え動作を実行する。例えば、ＴＤＤ方式によるＢａｎｄＣ１の高周波信号の伝送と、ＦＤＤ方式によるＢａｎｄＡ１の高周波信号の伝送と、ＦＤＤ方式によるＢａｎｄＢ１の高周波信号の伝送と、ＦＤＤ方式によるＢａｎｄＤ２の高周波信号の伝送とを同時に行う場合には、（１）共通端子２１ａと選択端子２１ｂとの接続かつ共通端子４１ａと選択端子４１ｂとの接続、（２）共通端子２３ａと選択端子２３ｂとの接続かつ共通端子４３ａと選択端子４３ｂとの接続、（３）共通端子２４ａと選択端子２４ｃとの接続かつ共通端子４４ａと選択端子４４ｃとの接続を実行する。
【０１３６】
これにより、フロントエンド回路１Ａが有する制御部が、ＴＤＤ／ＦＤＤの通信方式の選択情報を外部から受けることで各スイッチ回路の切り替えを行うので、フロントエンド回路１Ａの高機能化および制御信号の伝送配線の短縮化に伴う高速スイッチングが可能となる。
【０１３７】
なお、上記制御部は、フロントエンド回路１Ａに含まれなくてもよく、ＲＦＩＣ４またはＢＢＩＣ５などに含まれていてもよい。この場合には、通信装置６が上記制御部を備えることとなる。
【０１３８】
（その他の実施の形態など）
以上、実施の形態１および２に係るフロントエンド回路および通信装置について説明したが、本発明のフロントエンド回路および通信装置は、上記実施の形態に限定されるものではない。上記実施の形態およびその変形例における任意の構成要素を組み合わせて実現される別の実施の形態や、上記実施の形態およびその変形例に対して本発明の主旨を逸脱しない範囲で当業者が思いつく各種変形を施して得られる変形例や、本発明のフロントエンド回路および通信装置を内蔵した各種機器も本発明に含まれる。
【０１３９】
なお、本発明に係る制御部は、集積回路であるＩＣ、ＬＳＩ（Ｌａｒｇｅ  Ｓｃａｌｅ  Ｉｎｔｅｇｒａｔｉｏｎ）として実現されてもよい。また、集積回路化の手法は、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。さらには、半導体技術の進歩または派生する別技術によりＬＳＩに置き換わる集積回路化の技術が登場すれば、当然、その技術を用いて機能ブロックの集積化を行ってもよい。
【０１４０】
また、上記実施の形態に係るフロントエンド回路および通信装置において、図面に開示された各回路素子および信号経路を接続する経路の間に別の高周波回路素子および配線などが挿入されていてもよい。
【産業上の利用可能性】
【０１４１】
本発明は、キャリアアグリゲーション方式を採用するマルチバンド／マルチモード対応のスイッチモジュールとして、携帯電話などの通信機器に広く利用できる。
【符号の説明】
【０１４２】
１、１Ａ、１Ｂ、１Ｃ、５００、５００Ａ    フロントエンド回路
２    アンテナ
３ＡＲ、３ＢＲ、３ＣＲ、３ＤＲ、３Ｒ    受信増幅器
３Ｔ    送信増幅器
４    ＲＦ信号処理回路（ＲＦＩＣ）
５    ベースバンド信号処理回路（ＢＢＩＣ）
６    通信装置
１０、１１、１２、１３、１４、３６    フィルタ
２０、２１、２３、２４、２５、４０、４１、４３、４４、４５、５２０、５２１、５２３、５２４、５４０、５４１、５４３、５４４    スイッチ回路
２０ａ、２１ａ、２３ａ、２４ａ、２５ａ、４０ａ、４１ａ、４３ａ、４４ａ、４５ａ、５２０ａ、５２１ａ、５２３ａ、５２４ａ、５４０ａ、５４１ａ、５４３ａ、５４４ａ    共通端子
２０ｂ、２０ｃ、２０ｄ、２１ｂ、２１ｃ、２１ｄ、２１ｅ、２１ｆ、２３ｂ、２３ｃ、２３ｄ、２４ｂ、２４ｃ、２４ｄ、２５ｂ、２５ｃ、４０ｂ、４０ｃ、４０ｄ、４１ｂ、４１ｃ、４１ｄ、４１ｅ、４１ｆ、４３ｂ、４３ｃ、４３ｄ、４４ｂ、４４ｃ、４４ｄ、４５ｂ、４５ｃ、５２０ｂ、５２０ｃ、５２１ｂ、５２１ｃ、５２１ｄ、５２１ｅ、５２３ｂ、５２３ｃ、５２４ｂ、５２４ｃ、５４０ｂ、５４０ｃ、５４１ｂ、５４１ｃ、５４１ｄ、５４１ｅ、５４３ｂ、５４３ｃ、５４４ｂ、５４４ｃ    選択端子
３１    デュプレクサ
３１Ｒ、３２、５１Ｒ、５２Ｒ、５３Ｒ、５４、５５、５６Ｒ、５７、５８Ｒ    受信フィルタ
３１Ｔ    送信フィルタ
３５    帯域除去フィルタ
６１、６２、６３、７１、７２、７３、７４、７５、８１、８２、８３、９１、９２、９３、１０１    信号経路
１００    アンテナ接続端子
【図１Ａ】
2020116460.tif 000003
【図１Ｂ】
2020116460.tif 000004
【図１Ｃ】
2020116460.tif 000005
【図２Ａ】
2020116460.tif 000006
【図２Ｂ】
2020116460.tif 000007
【図３Ａ】
2020116460.tif 000008
【図３Ｂ】
2020116460.tif 000009
【図４】
2020116460.tif 000010
【図５Ａ】
2020116460.tif 000011
【図５Ｂ】
2020116460.tif 000012
【図６】
2020116460.tif 000013
【国際調査報告】
2020116460.tif 000014
2020116460.tif 000015
2020116460.tif 000016
2020116460.tif 000017